(57)【要約】オックスフォード型である編上げアスレジャーシューズの構造は、シューズがスリップオン式で着用者の足に履かれるようにし、靴ひもを結ぶ必要なく、足にしっかりと履かれるようにする。これによって、靴ひもを結ぶ必要なく着用される編上げシューズの外観を有するシューズが与えられる。
2009535185.tif 000002
【特許請求の範囲】
【請求項１】
シューズであって、
シューズソールに対して固定されるアッパーと、
複数の靴ひも開口と、
対向する左側端部及び右側端部を有する長さを有するバンドと、
を有し、
前記アッパー及び前記シューズソールは共に、当該シューズの内部を包囲し、前記アッパーは、前記シューズの内部に対するフォアフット開口とアンクル開口とを有し、前記アッパーは、前記フォアフット開口の対向する側部に沿って延在する左側部及び右側部を有し、
前記複数の靴ひも開口は、前記アッパー左側部及びアッパー右側部に沿って配置され、該複数の靴ひも開口の各靴ひも開口は、該靴ひも開口において位置付けられる靴ひもを有さず、
前記バンド左側端部は、当該シューズの前記内部において前記アッパー左側部に対して接続され、前記バンド右側端部は、当該シューズの前記内部において前記アッパー右側部に対して接続され、前記バンドの長さは、前記フォアフット開口にわたり且つ前記複数の靴ひも開口の下方において延在する、
シューズ。
【請求項２】
当該シューズにおいて靴ひもはない、
請求項１記載のシューズ。
【請求項３】
前記バンドは、前記フォアフット開口にわたって前記アッパー左側部と前記アッパー右側部との間における唯一の接続である、
請求項１記載のシューズ。
【請求項４】
前記フォアフット開口の一部は、前記バンドの対向する側部上にある、
請求項１記載のシューズ。
【請求項５】
前記シューズアッパー上にタンを更に有し、
該タンは、前記アッパー左側部と前記アッパー右側部との間における前記フォアフット開口にわたって、並びに前記バンドにわたって、延在する、
請求項４記載のシューズ。
【請求項６】
前記タンは、前記バンドに対して接続される、
請求項５記載のシューズ。
【請求項７】
前記アッパー左側部はエッジを有し、前記アッパー右側はエッジを有し、前記アッパー左側部エッジ及びアッパー右側部エッジは、前記フォアフット開口の対向する側部上で互いに対向し、
前記複数の靴ひも開口は、前記アッパー左側部エッジ及び前記アッパー右側部エッジに沿って夫々整列して配置される、
請求項１記載のシューズ。
【請求項８】
前記複数の靴ひも開口の各靴ひも開口は、前記アッパーを通って延在する開口を有するアイレットである、
請求項７記載のシューズ。
【請求項９】
シューズであって、
シューズソールと、
該シューズソールに対して固定されるアッパーと、
複数の靴ひも開口と、
対向する左側端部及び右側端部を有する長さを有するバンドと、
を有し、
前記シューズソールは、対向する上部表面及び底部表面と、後方ヒール端部及び対向する前方トウ端部と、前記ヒール端部と前記トウ端部との間における前記シューズソールの対向する側部に沿って延在する対向する左側部及び右側部と、を有し、
前記アッパーは、前記シューズソール上部表面から上方向に延在し、前記アッパーは、前記シューズソールヒール端部の上方におけるアンクル開口と、前記シューズソールトウ端部の上方におけるトウボックスとを有し、前記アッパーは、前記アッパーアンクル開口と前記アッパートウボックスとの間において前記シューズソール左側部及び右側部に夫々沿って延在する左側部と右側部とを有し、前記アッパー左側部及び右側部は、前記アッパー左側部と右側部との間における前記シューズへのフォアフット開口を定義付け、
前記複数の靴ひも開口は、前記アッパー左側部及び前記アッパー右側部に沿って夫々整列して配置され、該複数の靴ひも開口の各靴ひも開口は、前記靴ひも開口を通って延在する靴ひもを有さず、
前記バンド左側端部は、前記アッパー左側部に対して接続され、前記バンド右側端部は、前記アッパー右側部に対して接続され、バンドは、前記フォアフット開口にわたって延在する、
シューズ。
【請求項１０】
当該シューズにおいて靴ひもはない、
請求項９記載のシューズ。
【請求項１１】
前記バンドは、前記フォアフット開口にわたって前記アッパー左側部と前記アッパー右側部との間における唯一の接続である、
請求項９記載のシューズ。
【請求項１２】
前記バンドの少なくとも一部は、弾性である、
請求項９記載のシューズ。
【請求項１３】
前記バンドは、前記アッパートウボックスから後方に間隔をあけられ、前記フォアフット開口の一部は、該バンドの対向する側部上に位置付けられる、
請求項１２記載のシューズ。
【請求項１４】
前記バンドは、前記バンド左側端部と前記バンド右側端部との間における前記バンドの長さにおいて断絶を有さない連続する長さを有する、
請求項１３記載のシューズ。
【請求項１５】
前記シューズアッパーにおけるタンを更に有し、
該タンは、前記アッパートウボックスから後方に延在し且つ前記アッパー左側部とアッパー右側部との間において前記フォアフット開口をわたって延在する長さを有し、
前記バンドの少なくとも一部は、前記タンにわたって延在する、
請求項１３記載のシューズ。
【請求項１６】
前記タンは、該タンにおいて少なくとも１つのスロットを有し、
前記バンドは、該タンのスロットを通って延在する、
請求項１５記載のシューズ。
【請求項１７】
前記アッパー左側部はエッジを有し、前記アッパー右側部は、エッジを有し、前記フォアフット開口は、前記アッパー左側部エッジと前記アッパー右側部エッジとの間において定義付けられ、
前記複数の靴ひも開口は、前記アッパー左側部エッジ及び前記アッパー右側部エッジに沿って夫々整列して配置される、
請求項９記載のシューズ。
【請求項１８】
前記複数の靴ひも開口の各靴ひも開口は、アイレット開口である、
請求項１７記載のシューズ。
【請求項１９】
前記シューズアッパー上にタンを更に有し、
該タンは、前記アッパートウボックスから後方に、且つ前記アッパー左側部と前記アッパー右側部との間における前記フォアフット開口にわたって、延在する長さを有し、
前記バンドの少なくとも一部は、前記タンにわたって延在する、
請求項１８記載のシューズ。
【請求項２０】
シューズであって、
シューズソールと、
該シューズソールに対して固定されるアッパーと、
複数の靴ひも開口と、
対向する左側端部及び右側端部を有する長さを有するバンドと、
を有し、
前記シューズソールは、対向する上部表面及び底部表面と、後方ヒール端部及び前方トウ端部と、前記ヒール端部と前記トウ端部との間における前記シューズソールの対向する側部に沿って延在する対向する左側部及び右側部と、を有し、
前記アッパーは、前記シューズソールの前記上部表面から上方向に延在し且つ前記シューズの内部を取り囲み、前記アッパーは、前記シューズソールヒール端部における前記シューズソール上部表面の周囲に延在し、また、前記シューズソールの上部表面の上方において前記アッパーへのアンクル開口を定義付ける前記アッパーのカラーエッジまで前記シューズソールから上方向に延在し、前記アッパーは、左側部と右側部とを有し、前記左側部及び右側部は、前記シューズソール左側部及び前記シューズソール右側部の夫々に沿って前記アッパーヒール部から前方向に延在し、また、前記シューズソール上部表面の上方において前記アッパーへのフォアフット開口を定義付けるアッパー右側部エッジ及びアッパー左側部エッジまで夫々シューズソールから上方向に延在し、前記アッパーは、前記シューズソールトウ端部において前記シューズソール上部表面の周囲に並びに該上部表面にわたって延在する、前記アッパー左側部と前記アッパー右側部とを接続するトウボックスを有し、
前記複数の靴ひも開口は、前記アッパー左側部及び前記アッパー右側部に沿って夫々整列して配置され、該複数の靴ひも開口の各靴ひも開口は、前記靴ひも開口において位置付けられる靴ひもを有さず、
前記バンド左側端部は、前記シューズ内部において前記靴ひも開口に近接して前記アッパー左側部に対して接続され、前記バンド右側端部は、前記シューズ内部において前記靴ひも開口に近接して前記アッパー右側部に対して接続され、前記バンドの長さは、前記フォアフット開口にわたって延在する、
シューズ。
【発明の詳細な説明】
【技術分野】
【０００１】
本発明は、オックスフォード型である編上げアスレジャーシューズ（ａｔｈｌｅｉｓｕｒｅ、アスレチック用及びレジャー用兼用の靴）の新しい構造に係る。該シューズの新しい構造により、シューズは、着用者の足にスリップオン式に履かれ得、靴ひもを必要とすることなく足にしっかりと履かれ得る。これによって、シューズは、靴ひもを結ぶことなく着用される編上げシューズの独特且つ新しい外観を与えられる。
【背景技術】
【０００２】
オックスフォード型編上げバスケットボールシューズは長年、特にはバスケットボールである運動競技にとって大変人気のある靴である。運動競技での使用に加えて、該シューズは、快適なカジュアルシューズ又はアスレジャーシューズとして大変人気のあるものとなっている。これは特に、キャンバス地等である通気性のある布地を有して構成されるアッパーを有するオックスフォード型編上げバスケットボールシューズに関して言えることである。
【０００３】
シューズの快適性を更に高める努力は、靴ひもを有さないオックスフォード型編上げバスケットボールシューズを着用するという考察に繋がっている。しかしながら、かかるシューズは、たとえ靴ひもが無くても着用者の足に対する快適な適合を与えるが、靴ひもがないシューズを着用することは、歩行中又はランニング中に着用者の足からシューズが脱げてしまう、という問題を提示する。
【発明の開示】
【発明が解決しようとする課題】
【０００４】
本発明は、靴ひもを有さないオックスフォード型編上げバスケットボールシューズを着用する際の問題点を克服する、ことを目的とする。本発明は、靴ひもを必要とすることなく着用者の足にシューズがしっかりと履かれるよう、この種類のシューズに対して新しい改善を行なう。本発明のアスレジャーシューズは、人気のあるオックスフォード型編上げバスケットボールシューズと同一の構造を有するが、典型的にはシューズに与えられる靴ひもを有さない。シューズにおける靴ひも用開口又はアイレットは、開放したままにされるが、該シューズには靴ひもがない。
【課題を解決するための手段】
【０００５】
シューズは、バンドを有して改善される。該バンドは、シューズのアッパーの左側部及び右側部に対して接続され、シューズのフォアフット開口にわたって延在する。バンドは、着用者の足がシューズへと容易に挿入され得るよう、アッパーのアンクル開口のちょうど前方に位置付けられる。着用者の足がシューズに挿入されると、バンドは、着用者のフォアフットにわたって延在し、それによってシューズを足にしっかりとホールドする。望ましい実施例において、バンドは、バンドを伸縮させる少なくとも１つの弾性部分を有する。このことにより、シューズのアッパーの左側部及び右側部並びにシューズのタン（ベロ）は互いから離され、シューズへの足の挿入に対して充分な空間が与えられる。バンドは、シューズのアッパー及びタンによって隠されるため、シューズが着用されるとバンドは不可視となる。
【０００６】
本発明によって与えられるオックスフォード型編上げバスケットボールシューズの改善は、靴ひもを有さずに着用され得るアスレジャーシューズを可能にし、また、標準的なオックスフォード型編上げバスケットボールシューズの外観を有するシューズが靴ひもを有さずに着用されるようにする。
【発明を実施するための最良の形態】
【０００７】
本発明の更なる特徴は、以下における本発明の望ましい実施例の詳細な説明及び添付の図面において、説明される。
【０００８】
本発明のスリップオン式オックスフォード型アスレジャーシューズ１２は、オックスフォード型編上げバスケットボールシューズの基本構造を有する。異なることは、以下に説明する通り、シューズ１２の新しい構造は、シューズが靴ひもを有さずに足にしっかりと着用されるようにする、ことである。図示されるシューズの望ましい実施例において、シューズは、オックスフォード型編上げバスケットボールシューズである。しかしながら、本発明の新しいコンセプトは、靴ひもを有さず且つ編上げシューズの外観を変えることなく着用されるよう所望される、他の種類の編上げシューズに用いられ得る、ことが理解されるべきである。本発明のシューズ１２の構造の大半が従来のオックスフォード型編上げシューズの構造と同一であるため、構造の従来の特徴は、一般的に記載される。
【０００９】
シューズ１２は、シューズソール１４を有する。該ソールは、アスレチックシューズのソールの構造に典型的に用いられる弾性材料を有して構成される。ソール１４は、典型的には、アウトソール、ミッドソール、及びインサートを有して構成され得る。シューズソール１４は、シューズの走行表面として機能する底部表面１６、及びシューズの内部２２における対向する上部表面１８を有する。シューズ１２の寸法は、ソールの後方ヒール端部２４から前方トウ端部２６まで延在する長さを有し、また、シューズ１２は、シューズソールの左側部２８と右側部３２との間における幅を有する。
【００１０】
シューズのアッパー３４は、従来通り、シューズソール１４に対して固定され、シューズソールの上部表面１８から上方向に延在する。アッパー３４は、革又は布地トウである可撓性のある材料を有して構成される。アッパー３４は、ヒール部３６を有して構成され、該ヒール部は、シューズソールヒール端部２４におけるシューズソール上部表面１８の周囲に延在する。アッパーヒール部３６は、シューズソール１８から、シューズ内部２２へのアンクル開口４２を定義付けるアッパーのカラーエッジ３８まで上方向に延在する。
【００１１】
ヒール部３６から、アッパーは、左側部４４及び右側部４６を有し、該側部は夫々、シューズソール左側部２８及びシューズソール右側部３２に沿って前方に延在する。アッパー左側部４４は、シューズソール左側部２８からアッパー左側部エッジ４８まで上方向に延在する。アッパー右側部４６は、シューズソール右側部３２からアッパー右側部エッジ５２まで上方向に延在する。図示される通り、アッパー左側部エッジ４８及びアッパー右側部エッジ５２は、シューズソールの前方トウ端部２６に向かって上方カラーエッジ３８の対向する側部から前方に延在する。アッパー左側部エッジ４８及びアッパー右側部エッジ５２の長さは、シューズ内部２２に対して開放するシューズアッパー３４におけるフォアフット開口５４を定義付ける。
【００１２】
アッパー３４はまた、トウボックス５６を有して構成される。該トウボックスは、ソールトウ端部２６においてシューズソール上部表面１８の周囲に、また該表面１８にわたって、延在する。トウボックス５６は、アッパー左側部４４とアッパー右側部４６との間において接続され、シューズソールトウ端部２６に近接するシューズ内部２２の一部を包囲する。アッパー左側部エッジ４８及びアッパー右側部エッジ５２は、トウボックス５６から後方に延在する。
【００１３】
複数の靴ひも開口６２，６４は、アッパー左側部４４及びアッパー右側部４６状に与えられる。靴ひも開口は、典型的には、シューズのアッパーをシューズのフォアフット開口にわたって閉じる靴ひもの一部によって占められるシューズアッパーにおける開口である。靴ひも開口６２，６４は、例えばＤリング又はスピード靴ひもフック（ｓｐｅｅｄ  ｌａｃｉｎｇ  ｈｏｏｋｓ）である、シューズにおいて靴ひも開口を与える既知の手段によって与えられ得る。しかしながら、本発明の望ましい実施例では、靴ひも開口６２，６４は、アッパー左側部４４及びアッパー右側部４６における複数のアイレット又はグロメットによって与えられる。アイレット６６，６８は、所望される編上げシューズの外観を与える。アイレット開口６２，６８は、アッパー左側部エッジ４８及びアッパー右側部エッジ５２に沿って整列して配置される。図示される通り、靴ひも開口６２，６４は、アッパーカラーエッジ３８とアッパートウボックス５６との間におけるアッパー左側部エッジ４８及びアッパー右側部エッジ５２の実質的に全長に延在する。本発明の新しい特徴は、シューズ１２上に靴ひも開口６２，６４を与え、靴ひも開口において位置付けられる靴ひもはない、ことである。
【００１４】
シューズアッパー３４は、トウボックス５６の後方に位置付けられるヴァンプ（ｖａｍｐ）７２又はスロート（ｔｈｒｏａｔ）、及びヴァンプ７２から後方に延在するタン７４を有する。タン７４は、アッパー左側部４４及びアッパー右側部４６の長さに沿ってタンの遠位端部７６まで延在する。タン７４は、タンの左側部エッジ７８と右側部エッジ８２との間における幅を有する。タンの長さ及び幅は、タン側部エッジ７８，８２をアッパー左側部４４及びアッパー右側部４６の下方に位置付け、シューズのフォアフット開口５４にわたってタンを延在させる。一組のスロット８４，８６は、タンを通って与えられる。スロット８４，８６は、タン遠位端部７６に近接して、またタンの夫々左側部エッジ７８及び右側部エッジ８２に近接して、位置付けられる。スロット８４，８６は、タンの材料を全体的に貫通する。
【００１５】
薄く幅の狭いバンド９２は、フォアフット開口５４にわたって延在する。バンド９２は、アッパー左側部４４に対して固定される左側端部９４、及びアッパー右側部４６に対して固定される対向する右側端部９６を有する。バンドの左側端部９４は、シューズの内部においてアッパー左側部４４に対して固定され、バンドの右側端部９６は、シューズの内部においてアッパー右側部４６に対して固定される。これによって、シューズが着用される際、バンド９２の対向する端部が視界から隠される。バンド９２がフォアフット開口５４にわたって延在するため、バンドは、タン７４のスロット８４，８６を貫通する。図２に示される通り、バンドの左側端部９４に隣接するバンドの一部は、左側部タンスロット８４を貫通する前にタン７４にわたって延在し、バンドの右側端部９６に近接するバンドの一部は、右側部タンスロット８６を貫通する前にタン７４にわたって延在する。バンド９２の中間部は、タン７４の下方を通り、シューズが着用される際に視界から覆われる。このことによってバンド９２は、見られることなく、シューズが着用される際にフォアフロント上へとタン７４をホールドすることができる。バンド９２の少なくとも一部は、弾性材料を有して構成される。シューズの望ましい実施例において、バンド９２の長さは伸縮する。
【００１６】
バンド９２の伸縮特性により、シューズ１２のフォアフット開口５４は、足がシューズへと挿入される際に拡大され得る。シューズ着用者は単に、タン遠位端部７６に近接するタン７４を上方向に引っ張って、バンド９２を伸縮させ、且つフォアフット開口５４からタンの一部を動かす。続いてシューズ着用者は、タン７４の下方においてシューズ内部２２へと足を滑り込ませる。シューズの内部に足が挿入されると、タン７４は解放され、バンド９２の弾性特性によって、シューズ着用者の足のフォアフット範囲にわたってタン７４が引かれる。アンクルのちょうど前方においてシューズ着用者の足のフォアフット範囲にわたって延在する弾性バンド９２は、靴ひもを必要とすることなく、シューズ１２を足にしっかりとホールドする。
【００１７】
故に、シューズ１２の新しい構造は、靴ひもを必要とすることなくシューズ着用者の足にしっかりとホールドされる編上げシューズを与え、また、シューズが着用される際に靴ひもを有さない編上げシューズの所望される外観を与える。
【００１８】
本発明のシューズは、シューズの特定の実施例を参照して上述されてきたが、修正及び変形は、添付の請求項によって与えられる保護の意図される範囲から逸脱することなく、記載されるシューズに対して行なわれ得る。
【図面の簡単な説明】
【００１９】
【図１】本発明の左足用シューズの前部の斜視図である。本発明の右足用シューズは、該左足用シューズの構造のミラーイメージである構造を有する。
【図２】図１中のシューズの平面図である。
【図３】図１中のシューズの左側正面図である。
【図４】図１中のシューズの右側正面図である。
【図５】図１中のシューズの後方正面図である。
【図６】図１中のシューズの前方正面図である。
【図１】
2009535185.tif 000003
【図２】
2009535185.tif 000004
【図３】
2009535185.tif 000005
【図４】
2009535185.tif 000006
【図５】
2009535185.tif 000007
【図６】
2009535185.tif 000008
【国際調査報告】
2009535185.tif 000009